(57)【要約】  とりわけポリウレタンからなる一体的に発泡されたプラスチック材料を有する、トレーニングマット（１）であって、１つの支持面（２）と、１つの立位面（３）と、複数の側面（４，４’，４’’，４’’’）とを備えたトレーニングマット（１）であって、支持面（２）に対して垂直である断面（５）が、ほぼ楔形形状で構成されている。
2014533597.tif 000002
【特許請求の範囲】
【請求項１】
とりわけポリウレタンからなる一体的に発泡されたプラスチック材料を有する、トレーニングマット（１）であって、１つの支持面（２）と、１つの立位面（３）と、複数の側面（４，４’，４’’，４’’’）とを備えたトレーニングマット（１）において、前記支持面（２）に対して垂直である断面（５）が、ほぼ楔形形状で構成されていることを特徴とするトレーニングマット（１）。
【請求項２】
前記トレーニングマット（１）は、尾根を備えた屋根形状を有することを特徴とする請求項１に記載のトレーニングマット（１）。
【請求項３】
前記トレーニングマット（１）の進み角（α）は、４°と２５°との間、とりわけ６°と２０°との間、好ましくは８°と１６°との間であることを特徴とする請求項１または２に記載のトレーニングマット（１）。
【請求項４】
前記トレーニングマット（１）の進み角（α）は、１２°と６０°との間、とりわけ１５°と４０°との間、好ましくは２０°と３０°との間であることを特徴とする請求項１または２に記載のトレーニングマット（１）。
【請求項５】
前記プラスチック材料のかさ密度は、９９ｋｇ／ｍ３と１２１ｋｇ／ｍ３との間、とりわけ１０４ｋｇ／ｍ３と１１６ｋｇ／ｍ３との間、好ましくは１０８ｋｇ／ｍ３と１１２ｋｇ／ｍ３との間であることを特徴とする請求項１〜４のいずれか１項に記載のトレーニングマット（１）。
【請求項６】
前記プラスチック材料の圧縮応力は、１５ｋＰａと２３ｋＰａとの間、とりわけ１６．５ｋＰａと２１．５ｋＰａとの間、好ましくは１８ｋＰａと２０ｋＰａとの間であることを特徴とする請求項１〜５のいずれか１項に記載のトレーニングマット（１）。
【請求項７】
前記プラスチック材料の透気度は、１０ｌ／ｍ２秒を上回り、とりわけ２５ｌ／ｍ２秒を上回り、好ましくは４０ｌ／ｍ２秒を上回ることを特徴とする請求項１〜６のいずれか１項に記載のトレーニングマット（１）。
【請求項８】
前記プラスチック材料の反発弾性は、＞３５％、好ましくは＞４５％、特に好ましくは＞５０％であることを特徴とする請求項１〜７のいずれか１項に記載のトレーニングマット（１）。
【請求項９】
前記プラスチック材料の抗張力は、少なくとも２１０ｋＰａ、とりわけ少なくとも２５０ｋＰａ、好ましくは少なくとも２９０ｋＰａであることを特徴とする請求項１〜８のいずれか１項に記載のトレーニングマット（１）。
【請求項１０】
前記プラスチック材料の破断伸びは、少なくとも１２６％、とりわけ少なくとも１５０％、好ましくは少なくとも１７５％であることを特徴とする請求項１〜９のいずれか１項に記載のトレーニングマット（１）。
【請求項１１】
前記トレーニングマット（１）の厚さは、その最も薄い箇所（６）において少なくとも１５ｍｍであることを特徴とする請求項１〜１０のいずれか１項に記載のトレーニングマット（１）。
【請求項１２】
前記トレーニングマット（１）の厚さは、その最も厚い箇所（７）において最大１２０ｍｍであることを特徴とする請求項１〜１１のいずれか１項に記載のトレーニングマット（１）。
【請求項１３】
以下の目的、すなわち、
・運動器官の耐久訓練、
・筋肉量の美容的構築およびモデリング、
・筋肉組織の非治療的能力の向上、
・フィットネスの増進、
・筋肉組織の緊張緩和、
・健康の増進、
・身体の姿勢の美容的形成、
・人体、とりわけ胸部、腹部、脚部、臀部の美容的形成、
のうちの任意の１つまたは複数の目的のために、その場で立位または歩行するための、楔形形状のトレーニングマット（１）、とりわけ請求項１〜１２のいずれか１項に記載のトレーニングマット（１）の使用。
【請求項１４】
前記トレーニングマット（１）は、トレーニングマット（１）の厚さが利用者のかかと領域で、つま先領域でのトレーニングマット（１）の厚さよりも大きくなるように配向されていることを特徴とする請求項１３に記載の使用。
【請求項１５】
前記トレーニングマット（１）は、トレーニングマット（１）の厚さが利用者のかかと領域で、つま先領域でのトレーニングマット（１）の厚さよりも小さくなるように配向されていることを特徴とする請求項１３に記載の使用。
【請求項１６】
前記トレーニングマット（１）は、トレーニングマット（１）の厚さが利用者の第１の足の領域で、第２の足の領域でのトレーニングマット（１）の厚さよりも大きくなるように配向されていることを特徴とする請求項１３に記載の使用。
【請求項１７】
少なくとも２つのトレーニングマット（１）を異なって配向していることを特徴とする請求項１３に記載の少なくとも２つのトレーニングマット（１）の使用。
【請求項１８】
請求項１〜１２のいずれか１項に記載の少なくとも２つのトレーニングマット（１）の配置において、少なくとも２つのトレーニングマット（１）を異なって配向していることを特徴とする配置。
【発明の詳細な説明】
【技術分野】
【０００１】
本発明は、独立請求項の前提部に記載のトレーニングマット、トレーニングマットの配置、１つまたは複数のトレーニングマットの使用に関する。
【背景技術】
【０００２】
従来技術からは、様々なトレーニングマットが公知である。
例えば、ＷＯ  ２００８／０８７５９４  Ａ１号は、立位および歩行のためのフィットネス用および治療用マットを示している。このマットは、平坦で、柔軟性があり、弾性を有するように形成されていて、その結果、マット上で疲れることなく、関節を保護しつつ立位および歩行が可能になる。
【０００３】
ＵＳ  ２００９／０１９２０２８  Ａ１号は、ヨガマット、とりわけ、様々なヨガの練習において姿勢を容易に取らせ、より快適な姿勢により、より長く練習することができるヨガマットを示している。このマットの断面は楔形であり、様々な形状に組み合わせることができる。
【０００４】
ＤＥ  ２９７  １０  ７０９  Ｕ１号中では、楔形状座部が公開されている。これは、とりわけ、快適に座り、座っている際の姿勢を改善するために役立つ。この楔形状座部は、異なる発泡性材料からなる複数層から製造され、したがって、その製造コストは高い。この楔形状座部の下側層は、上側層よりも硬い材料で形成されている。
【発明の概要】
【発明が解決しようとする課題】
【０００５】
公知のマットには全て、日常的に使用できない、あるいは、筋肉の緊張を緩和させつつ、同時に所望の程度のトレーニング効果を保証することができないという欠点がある。
【０００６】
本発明の課題は、この従来技術の欠点を克服するということである。とりわけ、一方では日常的に使用でき、かつ、他方では、筋肉の緊張を緩和させつつ、同時にトレーニング効果を可能にすることができるようなトレーニングマットを提供することである。この課題は、独立請求項１に記載のトレーニングマットにより、独立請求項１８に記載のトレーニングマットの配置により、および、独立請求項１３に記載のトレーニングマットの使用により達成される。さらなる実施形態は、従属請求項より明らかである。
【課題を解決するための手段】
【０００７】
本発明によるトレーニングマットは、とりわけポリウレタンからなる一体的に発泡されたプラスチック材料を有する。このトレーニングマットは、規定に準じた使用での下面に支持面を有する。規定に準じた使用での上面には、立位面が配置されている。このトレーニングマットは、さらに、１つまたは複数の側面を有し、これらの側面は、支持面に対してほぼ垂直に配置されうる。支持面に対して垂直に配置されている断面、とりわけ一体的に発泡されたプラスチック材料のある領域またはある部分領域中での断面は、ほぼ楔形形状で構成されていて、その結果、立位面は傾斜を有する。
【０００８】
ここで、および以下では、ほぼ垂直とは、９０°＋／−２０°、とりわけ９０°＋／−１０°の角度であると理解される。ほぼ楔形形状とは、とりわけそれ自体公知の楔形であって、支持面と立位面との間の角度が一定の角度である楔形と理解される。この場合、支持面も立位面も、凹型または凸型の湾曲を有しうる。同様に、立位面は、異なる角度を有する複数の面からなることも考えられる。さらに、この楔形は、その頂点の側で先が丸くなっていて、すなわち切り落とされていることが可能である。この立位面と支持面とは、したがって、直接交わっていず、各位置で互いに対して間隔をあけている。同様に、支持面と立位面との間の間隔は、楔形の最も薄い箇所および／または最も厚い箇所において、一定でさらに続くことも考えられ、その結果、楔形は延長部を有する。さらに、立位面がほぼ羽根の形状に相当する形状も楔形として理解される。
【０００９】
進み角とは、支持面と立位面との間の角度であると理解される。支持面および／または立位面が実質的な面または平坦な面ではない場合、進み角とは、双方の面の中央でこれらの面に当接している接線間で形成される角度であると理解される。
【００１０】
トレーニングマットが一体的に発泡されたプラスチック材料からなることにより、特に好都合な製造が可能となる。この場合、プラスチックを直接相当する形状に発泡させる、あるいは、例えば、角石形状のブロックから切り出すことも可能である。ポリウレタンは、高い引き裂き抵抗や永続的に弾性を有するなど有利な特性を有すると判明している。さらに、発泡ポリウレタンは、高い弾性回復力を示し、強く圧縮することができ、非常に長寿命である。しかし、同様の特性は、他の発泡性のプラスチックによっても達成可能である。
【００１１】
ほぼ楔形形状で構成された断面を備えたトレーニングマットは、このトレーニングマットが、とりわけ運動器官の耐久訓練、筋肉量の美容的構築およびモデリング、筋肉組織の非治療的能力の向上、フィットネスの増進、筋肉組織の緊張緩和、健康の増進、身体の姿勢の美容的形成および／または人体、とりわけ胸部、腹部、脚部、臀部の美容的形成のために、その場での立位および歩行のために採用される場合には、特に有利であると判明している。この際、達成しようと努める目標に応じて、楔形形状のトレーニングマットは、かかとからつま先へ、つま先からかかとへ、左から右へ、または、右から左へと立ち上がるように配向されうる。同様に２つ以上のトレーニングマットの配置を組み合わせて、個々のトレーニングマットを異なる配向にすることもできる。
【００１２】
トレーニングマットの進み角は、４°と２５°との間、とりわけ６°と２０°との間、好ましくは８°と１６°との間でありうる。進み角がより大きくなると、もはや快適と感じられず、これにしたがって、使用者が、このトレーニングマットを長時間利用しないようになると判明している。同様に、この角度がより小さい場合には、上述の効果が出ないかあるいはわずかしか出ない。
【００１３】
トレーニングマットは、尾根を備えた屋根形状を有しうる。したがって、トレーニングマットは、２方向で楔形形状に形成されている。この際、進み角は両側で等しくまたは異なって構成されうる。
【００１４】
トレーニングマットの進み角は、１２°と６０°との間、とりわけ１５°と４０°との間、好ましくは２０°と３０°との間でありうる。この種の形状により、屋根の形状を備えた１つのトレーニングマットまたは、２つの突き合わされたトレーニングマットの尾根上で、例えば、シーソーが揺れるように立位することが可能になる。
【００１５】
ＤＩＮ  ＥＮ  ＩＳＯ  ８４５に従う測定によるこのプラスチック材料のかさ密度は、９９ｋｇ／ｍ３と１２１ｋｇ／ｍ３との間、とりわけ１０４ｋｇ／ｍ３と１１６ｋｇ／ｍ３との間、好ましくは１０８ｋｇ／ｍ３と１１２ｋｇ／ｍ３との間であることができる。発泡プラスチック材料中の空気の割合は、したがって、これに応じて大きく、これにより、プラスチック材料は非常に撓みやすく、柔軟性がある。
【００１６】
ＤＩＮ  ＥＮ  ＩＳＯ  ３３８６−１に従う測定による４０％圧縮時のこのプラスチック材料の圧縮硬さないし圧縮応力は、１５ｋＰａと２３ｋＰａとの間、とりわけ１６．５ｋＰａと２１．５ｋＰａとの間、好ましくは１８ｋＰａと２０ｋＰａとの間であることができる。プラスチック材料がより硬い場合には、長期に亘って、不快であると感じられ、所望のトレーニング効果が達成されない。より柔軟な構造は、その上で立つのには適していないが、これは、この種のトレーニングマットは、容易に押されて変形してしまうからである。
【００１７】
ＤＩＮ  ＥＮ  ＩＳＯ  ９２３７に従う測定による２００Ｐａの試験圧力でのプラスチック材料の透気度は、１０ｌ／ｍ２秒を上回り、とりわけ２５ｌ／ｍ２秒を上回り、好ましくは４０ｌ／ｍ２秒を上回りうる。このような透気度では、発泡材からなるプラスチック材料を押し潰した際に、空気が漏れ出ることができ、プラスチック材料自体のみが圧縮ないし圧縮硬さを担う。
【００１８】
プラスチック材料の反発弾性は、＞３５％、好ましくは＞４５％、特に好ましくは＞５０％であることができる。この際、反発弾性は以下のように決められる。すなわち、直径４０ｍｍおよび重量２６２ｇの球を、１ｍの高さから厚さ６０ｍｍのプラスチック試料上に落とす。この際、プラスチック試料の底面積は、少なくとも１００ｍｍ×１００ｍｍで、硬い基盤の上に配置されていて、球は底面積のほぼ中央に来る。この際、反発弾性は、球を落とした高さに対する跳ね返りの高さの割合であり、パーセントで表される。この際、落とした高さも跳ね返りの高さも、球の下面とプラスチック試料の表面との距離として測定される。厚さが薄い、または、圧縮硬さが小さいプラスチック試料の場合には、より小さい重量の球を用いなければならない点を顧慮すべきであるが、これは、こうしないと、球がプラスチック試料を「打ち抜いてしまう」からである。より軽い球により得られる測定値は、上述の直径４０ｍｍで重量２６２ｇの球での測定値と、条件付きでのみ比較可能である。反発弾性が高いと、足を上げた際に、快適にやわらかい歩行感が生じ、足は、トランポリンのように高くまで上げられる。歩調とは関係なく、非常に動的な運動の場合でさえも、足に対してトレーニングマットの反作用力が常に作用している。
【００１９】
ＤＩＮ  ＥＮ  ＩＳＯ  １７９８に従う測定によるプラスチック材料の抗張力は、少なくとも２１０ｋＰａ、とりわけ少なくとも２５０ｋＰａ、好ましくは少なくとも２９０ｋＰａであることができる。
【００２０】
ＤＩＮ  ＥＮ  ＩＳＯ  １７９８に従う測定によるプラスチック材料の破断伸びは、少なくとも１２６％、とりわけ少なくとも１５０％、好ましくは少なくとも１７５％であることができる。抗張力が高く、破断伸びが大きいことにより、トレーニングマットの頑健性と、長寿命の挙動が保証される。
【００２１】
トレーニングマットの厚さは、その最も薄い箇所において少なくとも１５ｍｍでありうる。この際、最も薄い箇所とは、支持面と立位面とが最も近接する箇所であると理解される。常に少なくとも１５ｍｍの厚さが保証されていることにより、使用者の立ち位置にかかわらず、常に少なくとも、トレーニングマットがいずれの場合も弾力のある特性を有するような量の発泡性材料が、確実に使用者の足の下に存在する。足または足の一部が、トレーニングマットの下に配置されている基板にまで踏み込むことを防ぐ。さらに、鋭く形成された縁部が形成されて、損傷しやすくなることを防ぐ。
【００２２】
トレーニングマットの厚さは、最も厚い箇所において最大１２０ｍｍでありうる。この際、最も厚い箇所とは、支持面と立位面とが、互いから最も離れている箇所であると理解される。この際、厚さは、支持面に対して垂直に測定される。厚さが最大１２０ｍｍであることにより、トレーニングマットから意図せず落ちて、または、足がトレーニングマット上に部分的にのみ載せられることにより、その足が折れ曲がって事故になる危険性が最低限に抑えられる。
【００２３】
トレーニングマットは、屋根形状を有することができ、その中央の領域中で、尾根を有しうる。尾根の領域では、トレーニングマットは１２０ｍｍより厚くなるように構成されうるが、これは、両側で傾斜した側面が続いているからである。したがって、屋根形状に構成されたトレーニングマットは、最大３００ｍｍまでの厚さが考えられる。
【００２４】
トレーニングマットの底面は、所望の形状を有しうる。とりわけ、正方形または長方形の形状を有しうる。円形形状も考えられる。正方形形状の場合、トレーニングマットの最小面積は、４００ｍｍ×４００ｍｍであると判明している。しかし、好ましくは正方形の底面積は、５００ｍｍ×５００ｍｍのサイズである。とりわけ長方形の実施形態では、５００ｍｍ×１０００ｍｍが好適である。しかし、これ以外のサイズを採用することも考えられる。したがって、例えば、それぞれ２５０ｍｍ×５００ｍｍの２つのトレーニングマットを組み合わせることが考えられ、この場合、双方の薄い側または双方の厚い側が互いの方向に向けられている。長方形の底面を有するトレーニングマットでは、好ましくは、薄い側ないし厚い側が縦側に配置されていて、その結果、楔形が幅の側に渡って伸張している。
【００２５】
トレーニングマットの立位面には、画像要素を設けることができるが、これらは、プラスチック材料の上述の特性に影響を与えないか、あるいは、わずかしか影響を与えない。このようにして、例えば立位面上に足の最適な位置を刻印することが可能である。あるいは、立位面上に、トレーニングプログラムを全て画像で提示することも可能である。
【００２６】
トレーニングマットの表面には、特殊な構造を設けることも可能であるが、これは、柔軟性のあるプラスチック材料による運動刺激に加えて、足の裏の血行を積極的に刺激させる構造である。この種の表面は、例えば、発泡プラスチックの上に追加的に載置された粒子構造物により達成されうるか、あるいは、これに代えて、トレーニングマット上に相応に構成された被覆部により載置されうる。この種の被覆部は、好ましくは、弾性と伸張性とを有し、その結果、プラスチック材料の上述の特性に影響を与えない、またはわずかしか影響を与えない。この種の被覆部も、上述の画像要素を備えて構成可能である。
【００２７】
被覆部に代えてあるいはこれを補足する形で、保護層をプラスチック材料上に直接載置することができる。この際、この保護層の最大厚さは２ｍｍ、好ましくは１ｍｍ、特に好ましくは０．２〜０．５ｍｍである。この際、保護層の材料は、トレーニングマットのプラスチック材料と同じベースであり、または、全く異なる材料を用いることができる。例えば、このためには、ＰＶＣ、ゴムまたは繊維織物が適している。この種の保護層はトレーニングマットのプラスチック材料上に直接載置することができ、または、後の段階で、例えば接着または溶接によりトレーニングマットと結合することができる。当然、この種の保護層は、プラスチック材料の上述の特性に影響を与えないまたはわずかしか与えないように構成されることと理解される。
【００２８】
その場で立位または歩行するために、本発明にしたがって楔形形状のトレーニングマット、とりわけ上述のトレーニングマットを使用することは、
以下の目的、すなわち、
・運動器官の耐久訓練、
・筋肉量の美容的構築およびモデリング、
・筋肉組織の非治療的能力の向上、
・フィットネスの増進、
・筋肉組織の緊張緩和、
・健康の増進、
・身体の姿勢の美容的形成、
・人体、とりわけ胸部、腹部、脚部、臀部の美容的形成、
のうちの任意の１つまたは複数の目的を有する。
【００２９】
例えば、毎日その場で少なくとも５分間立位または歩行するとすでに、全運動器官の良好な耐久訓練となると判明している。このトレーニング効果に決定的に重要であるのは、足が静かに立位するのを防ぐ発泡プラスチック材料の柔軟性のある弾性特性である。使用者は、その足とその運動器官とによって、常に動き続け、平衡を取らねばならない。したがって、無意識のうちに耐久訓練が行われる。運動器官を連続的に穏やかにトレーニングすることにより、非審美的な身体の姿勢が防がれ、したがって、身体姿勢が美容的に形成されうる。さらに、この種のトレーニングは、筋肉組織とりわけ深部筋肉組織の非治療的能力を高め、全般的にフィットネスを増進させることができる。筋肉組織を穏やかに使用することにより、とりわけこの種のトレーニング後に横たわる際に、深い緊張緩和が得られうる。全般的に健康が増進されうる。
【００３０】
より長く継続して利用することにより、筋肉量の目標に沿った構築およびモデリングさえも達成可能になる。
【００３１】
トレーニングマットは、トレーニングマットの厚さが使用者のかかと領域で、つま先領域でのトレーニングマットの厚さよりも大きくなるように配向されうる。例えばこのような姿勢により、腰椎領域の緊張が緩められる。さらに、腹部の筋肉組織が無意識のうちに酷使され、トレーニングされる。
【００３２】
これに応じて、トレーニングマットは、トレーニングマットの厚さが使用者のかかと領域で、つま先領域でのトレーニングマットの厚さよりも小さくなるようにも配向されうる。これにより、後方筋肉部分とりわけ腸腰筋の筋肉組織が伸びる。胸椎が立ち上がり、これにより、胸郭が開き、大きく呼吸することができる。
【００３３】
特殊な適用においては、トレーニングマットは、トレーニングマットの厚さが利用者の第１の足の領域で、第２の足の領域でのトレーニングマットの厚さよりも大きくなるように配向されうる。このような配置では、とりわけ交互に配向する場合に、背中の筋肉組織の緊張を緩めることができる。例えば、この種の配向は、脚部の長さが異なる際に理想的であるが、これは、長さの差が補償されうるからである。
【００３４】
２つ以上の互いに隣接して配置されるトレーニングマットを使用して、少なくとも２つのトレーニングマットを異なって配向することにより、さらに異なる練習形態またはトレーニング形態が達成可能になる。例えば足弓の筋肉組織の目標に沿ったトレーニングが達成可能になる。
【００３５】
屋根の形状を備えた１つのトレーニングマットまたは厚い側で突き合わされた２つのトレーニングマットを使用することにより、中足領域において、尾根または形成された尾根が配置されることができ、その結果、シーソーが揺れるように立位することが可能になる。永続的に平衡を取ることにより、様々な筋肉群の協調能力が高まる。さらに、足がトレーニングマット上の尾根の前または後にあるかに応じて、上述のトレーニング効果の組み合わせが、可能になる。
【００３６】
単に実施形態を提示した図面に基づいて、本発明を、以下により詳細に説明する。
【図面の簡単な説明】
【００３７】
【図１】本発明によるトレーニングマットの第１実施形態を示す図である。
【図２ａ】本発明によるトレーニングマットの第２実施形態であって、凹型の立位面を備えた実施形態を示す図である。
【図２ｂ】本発明によるトレーニングマットの第３実施形態であって、凸型の立位面を備えた実施形態を示す図である。
【図３】本発明によるトレーニングマットのさらなる実施形態であって、羽根に類似の形状の立位面を備えた実施形態を示す図である。
【図４】本発明によるトレーニングマットのさらなる実施形態であって、立位面が、その最も薄い箇所と最も厚い箇所とにおいて延長部を備えた実施形態を示す図である。
【図５】本発明による２つのトレーニングマットの配置の第１実施形態を示す図である。
【図６ａ】本発明による２つのトレーニングマットの配置の第２実施形態を示す図である。
【図６ｂ】本発明による２つのトレーニングマットの配置の第３実施形態を示す図である。
【発明を実施するための形態】
【００３８】
図１は、本発明によるトレーニングマット１の第１実施形態を示す図である。このトレーニングマット１は発泡ポリウレタンからなり、規定に準じた使用では、その下面に支持面２を有する。上面は立位面３として形成されている。トレーニングマットの使用者は、その足でこの立位面３上に立つ。さらに、図示されたトレーニングマットは、４つの側面４，４’，４’’，４’’’を有し、これらは、支持面から直角の角度で突き出ている。断面５は陰影線を付けて提示しているが、これは、ほぼ楔形を有する。その際、この断面５は、トレーニングマット１の最も薄い箇所６において、鋭い楔を形成してはいない。むしろ、先端は切り落とされていて、側面４’’’で終わっている。トレーニングマット１は最も薄い箇所６から最も厚い箇所７に向かって進み角αを有するが、これは常に、８．５°である。当然、これ以外の進み角も可能であると理解される。トレーニングマットの支持面は正方形であって、辺長は４００ｍｍである。さらに、トレーニングマットの厚さは、最も薄い箇所６と最も厚い箇所７との間で２０ｍｍと８０ｍｍとの間で変わりうる。
【００３９】
図２ａおよび２ｂには、本発明のトレーニングマット１のさらなる実施形態であって、凹型ないし凸型の立位面３を備えた実施形態を提示している。双方のトレーニングマット１とも、８．５°の進み角αを有する。この際、進み角αは、トレーニングマット１の最も薄い箇所と最も厚い箇所との間のそれぞれ中央領域における、立位面３での接線において測定される。使用者の位置に応じて有効進み角は変わりうる。
【００４０】
図３は、本発明によるトレーニングマット１のさらなる実施形態であって、羽根に類似のように構成された立位面３を備えた実施形態を示す図である。進み角αは、すでに図２ａおよび２ｂに関して説明したように、トレーニングマット１の中央領域中の接線において測定する。羽根に類似の形状を備えた立位面３では、使用者は、適切な位置の選択により、特に多くの様々な可能性を有する。そして、純粋に立ち上がる形態以外に、例えば、使用者のかかとをトレーニングマット１のプラスチック材料中に沈ませて、一方で、つま先は中空にあるという位置を採ることも可能である。
【００４１】
図４中には、本発明によるトレーニングマット１のさらなる実施形態であって、立位面２が、その最も薄い箇所６と最も厚い箇所７とにおいて延長部８を備えた実施形態を示す。この際、当然、延長部８は、支持面２に対して平行であるのみならず、これ以外の角度で延在することも可能である。
【００４２】
図１〜４中に示した実施形態では、全て一方向で、すなわち側面に対して平行に進み角αを有する。しかし、本発明によるトレーニングマットは、例えば対角方向の進み角を有することも考えられる。この種のトレーニングマットでは、例えば、最も厚い箇所において鋭い先端になりうる。
【００４３】
図５中には、２つのトレーニングマット１，１’の本発明による配置の第１実施形態を示す。この際、双方のトレーニングマット１，１’は、この双方のトレーニングマットが、その最も厚い箇所７，７’において接触するように互いに対して配向されている。あるいは、トレーニングマット１，１’は、最も薄い箇所６，６’において接触するように配置されることもできる。この配置は、図６ａ中に提示されている。
【００４４】
図６ｂは、２つのトレーニングマット１，１’の本発明による配置のさらなる実施形態を示す図である。この場合、トレーニングマット１，１’は、最も厚い箇所または最も薄い箇所の側面において接触しているのではなく、これらの側面の間に配置された側面において接触している。これにより、例えば使用者の１つの足が、上昇する立位面２で立ち、一方で第２の足が降下する立位面２’上に位置付けられていることができる。
【００４５】
当然、トレーニングマット１，１’同士が必ずしも接触するには及ばないと理解される。トレーニングマット１，１’は、互いに対してある間隔を取って配置されていることも考えられる。この場合、この間の間隔は、意図的に空にすることもできるし、適切な中間片で充填することも可能である。
【図１】
2014533597.tif 000003
【図２ａ】
2014533597.tif 000004
【図２ｂ】
2014533597.tif 000005
【図３】
2014533597.tif 000006
【図４】
2014533597.tif 000007
【図５】
2014533597.tif 000008
【図６ａ】
2014533597.tif 000009
【図６ｂ】
2014533597.tif 000010
【手続補正書】
【提出日】平成26年6月30日(2014.6.30)
【手続補正１】
【補正対象書類名】図面
【補正対象項目名】図６ｂ
【補正方法】変更
【補正の内容】
【図６ｂ】
2014533597.tif 000011
【国際調査報告】
2014533597.tif 000012
2014533597.tif 000013
2014533597.tif 000014
2014533597.tif 000015